(57)【要約】【課題】  着用者がスポーツ時に違和感や異物感を感じることなくフィット性を向上でき、しかも着脱が容易なスポーツ手袋を提供する。【解決手段】  スポーツ手袋１の裏面側において、着用者の掌に相当する部分の少なくとも一部に、粘着性樹脂を主成分としこれに微粒子物が配合されたコーティング層１０を形成する。このコーティング層１０は、０．０５〜０．２ｍｍの厚みを有し、１０〜３００ｋＰａの引張せん断強さを有している。【選択図】  図１
2006346437.tif 000002
【特許請求の範囲】
【請求項１】
スポーツ手袋であって、
手袋本体を備え、
前記手袋本体の裏面側において着用者の掌に相当する部分の少なくとも一部に、粘着性樹脂を含みかつ１０〜３００ｋＰａの引張せん断強さを有するコーティング層を形成した、
ことを特徴とするスポーツ手袋。
【請求項２】
請求項１において、
前記コーティング層の厚みが０．０５〜０．２ｍｍである、
ことを特徴とするスポーツ手袋。
【請求項３】
請求項１において、
前記手袋本体の裏面に凹部または貫通孔が形成されており、前記粘着性樹脂の一部が前記凹部または貫通孔内にも導入されている、
ことを特徴とするスポーツ手袋。
【請求項４】
請求項１において、
前記コーティング層は、粘着性樹脂を主成分としており、これに微粒子物が配合されている、
ことを特徴とするスポーツ手袋。
【請求項５】
請求項４において、
前記粘着性樹脂が１００重量部に対して、前記微粒子物が１〜１００重量部配合されている、
ことを特徴とするスポーツ手袋。
【請求項６】
請求項５において、
前記粘着性樹脂が１００重量部に対して、前記微粒子物が１〜３０重量部配合されている、
ことを特徴とするスポーツ手袋。
【請求項７】
請求項４ないし６のいずれかにおいて、
前記微粒子物が、０．０１〜０．５ｇ/ｍｌの見掛け比重を有している、
ことを特徴とするスポーツ手袋。
【発明の詳細な説明】
【技術分野】
【０００１】
本発明は、ゴルフ、野球、テニスなどのスポーツに好適のスポーツ手袋に関し、詳細には、フィット性を向上させるための構造の改良に関する。
【背景技術】
【０００２】
スポーツ手袋として、たとえば特開平１１−１０４２８７号公報や実用新案登録第３０５５２１５号公報に示すようなものが提案されている。
【０００３】
特開平１１−１０４２８７号公報に示すゴルフ手袋は、雨や汗による手袋内部での滑りを防止するために、手袋本体の裏面側に小突起物を設けている。また、実用新案登録第３０５５２１５号公報に示すスポーツ用グローブでは、滑り止め用の無数のシリコンゴム製突起をグローブの裏面に設けている。
【０００４】
しかしながら、前記各公報に示す従来構造においては、手袋の使用時には、小突起物を掌に食い込ませることによって、手と手袋内面との滑りを防止しようとしている。このため、ゴルフスイングやバッティングなどの際に手の皮膚に圧迫感を与え、その結果、着用者が違和感や異物感を感じるおそれがある。また、手袋内面に突起物が形成されていることにより、手袋の着脱が容易ではない。
【特許文献１】特開平１１−１０４２８７号公報
【特許文献２】実用新案登録第３０５５２１５号公報
【発明の開示】
【発明が解決しようとする課題】
【０００５】
本発明は、このような従来の実情に鑑みてなされたものであり、本発明が解決しようとする課題は、着用者がスポーツ時に違和感や異物感を感じることなくフィット性を向上でき、しかも着脱が容易なスポーツ手袋を提供することにある。
【課題を解決するための手段】
【０００６】
請求項１の発明に係るスポーツ手袋は、手袋本体を備えており、手袋本体の裏面側において着用者の掌に相当する部分の少なくとも一部に、粘着性樹脂を含みかつ１０〜３００ｋＰａの引張せん断強さを有するコーティング層を形成している。
【０００７】
請求項１の発明によれば、たとえばゴルフスイング時やバッティング時などのスポーツの際には、コーティング層の粘着性により手袋内部で手を滑りにくくすることによって、手を手袋に密着させて手と手袋を一体化させているので、着用者の手に違和感や異物感を感じさせることなく、フィット性を向上できる。しかも、この場合には、粘着性コーティング層の引張せん断強さを１０〜３００ｋＰａに設定したので、手を手袋内面に密着させるだけの密着性を確保できるとともに、手袋の着脱を容易に行えるようになる。
【０００８】
ここで、引張せん断強さを上記範囲に設定したのは、以下の理由による。
引張せん断強さの異なる５種類の粘着剤をそれぞれ手袋の内面に同一の厚みで塗布することにより、５種類の手袋を用意する。次に、これら５種類の手袋を５名の被験者（Ａ〜Ｅ）に着用してもらい、フィット性と着脱容易性の双方について各手袋を５段階で官能評価してもらった。
【０００９】
フィット性についての官能評価結果を表１に、着脱容易性についての官能評価結果を表２にそれぞれ示す。また、図１および図２は、表１および表２中の各平均値をそれぞれプロットしたものである。
【表１】
2006346437.tif 000003
【表２】
2006346437.tif 000004
【００１０】
図１中のグラフを見ると、引張せん断強さが１０ｋＰａにおいて屈曲点が存在していることが分かる。したがって、フィット性に関して言えば、引張せん断強さが１０ｋＰａ未満では、着用者を満足させるだけの十分なフィット性が得られず、十分なフィット性を得るためには、引張せん断強さが１０ｋＰａ以上が好ましいと考えられる。一方、図２中のグラフを見ると、引張せん断強さが３００ｋＰａにおいて屈曲点が存在していることが分かる。したがって、着脱容易性に関して言えば、引張せん断強さが３００ｋＰａを超えると、着脱が容易ではなくなり、十分な着脱容易性を得るためには、引張せん断強さが３００ｋＰａ以下が好ましいと考えられる。このような官能評価結果に基づいて、粘着性コーティング層の引張せん断強さを１０ｋＰａ以上３００ｋＰａ以下に設定したのである。
【００１１】
なお、引張せん断強さは、ＪＩＳ  Ｋ  ６８５０  の引張せん断接着強さの試験方法に準拠した方法で測定した。この方法の概要を表３に示す。
同表中に示すように、羊革などの手袋用皮革およびＰＰ（ポリプロピレン）シートを用意する。このＰＰシートとしては、たとえばコクヨ株式会社製の「クリヤーホルダー（品番：フ−Ｔ７５０Ｎ）」などの厚み０．２ｍｍ程度のものが適している。手袋用皮革の裏面側の２個所に２枚重ねのセロハンテープを１０ｍｍの間隔で平行に貼り、その間にコーティング剤（溶液）を垂らし、上からガラス棒でセロハンテープ２枚重ねの厚みまで引き伸ばす方法で塗布する。
【表３】
2006346437.tif 000005
【００１２】
その後、手袋用皮革の裏面側のセロハンテープを剥がし、ＪＩＳ  Ｋ  ７１００  に規定する標準雰囲気下（温度２３℃，相対湿度５０％）で２４時間以上放置して十分に乾燥させる。乾燥後、エチルアルコールで洗浄して同様に乾燥させたＰＰシートを貼り合わせて試験片とした。
【００１３】
次に、試験片を２枚のステンレス板で挟み、ＪＩＳ  Ｌ  ０８４８  に規定する汗試験機に水平に取り付けて、約１５０ｋＰａの圧力をかけた状態で固定した。そして、３７±２℃に設定した恒温槽中に入れ、試験片を恒温槽の底面に対して垂直に保持した状態で２４時間放置した。その後、試験片を汗試験機から取り外し、上記標準雰囲気下で１時間以上放置して冷却した。
【００１４】
次に、ＪＩＳ  Ｋ  ６８５０  に規定する引張試験機を用いて、試験片としての手袋用皮革およびＰＰシートに１００ｍ/ｍｉｎの一定速度で引張荷重を作用させた。そして、コーティング層が破断したときの荷重（つまり破断力［ｍｍＮ］）をせん断面積（ここでは１００［ｍｍ２］）で割って、引張せん断強さ［ｋＰａ］を求めた。
【００１５】
なお、コーティング層の形成パターンが、帯状、ドット状、網目状、波目状、亀甲状などのように、接合面（１０ｍｍ×１０ｍｍ）全体をコーティング層が覆わない場合には、測定した破断力を、コーティング層に覆われた実質的な接合面積で割ることにより、引張せん断強さを求める。
【００１６】
請求項２の発明では、コーティング層の厚みが０．０５ｍｍ以上０．２ｍｍ以下に設定されている。
【００１７】
ここで、コーティング層の厚みを上記範囲に設定したのは、以下の理由による。
厚みが０．０５，０．１，０．１５，０．２，０．２５，０．３，０．５ｍｍの７種類の厚みゲージを用意し、被験者１０名にそれぞれ厚みゲージを上から掌（および指の腹）で触ってもらい、厚みゲージを段差として違和感を感じるかどうかを官能評価してもらった。
【００１８】
その結果を表４に示す。同表に示すように、厚みが０．２５ｍｍ以上になると、８割以上の人が違和感を感じるようになることから、コーティング層の厚みとしては、０．２ｍｍ以下が好ましいことが分かった。また、コーティング層の厚みの下限値を０．０５ｍｍとしたのは、厚みが０．０５ｍｍよりも薄いと、安定した粘着力を得ることが難しくなるためである。
【表４】
2006346437.tif 000006
【００１９】
請求項３の発明によれば、手袋本体の裏面に凹部または貫通孔が形成されており、粘着性樹脂の一部が凹部または貫通孔内にも導入されている。
【００２０】
この場合には、凹部または貫通孔内に導入された粘着性樹脂がいわゆるアンカー効果を発揮することにより、手袋本体裏面からコーティング層を剥がれにくくすることができる。
【００２１】
請求項４の発明によれば、コーティング層が、粘着性樹脂を主成分とし、これに微粒子物が配合されて構成されている。
【００２２】
上述したＪＩＳ  Ｋ  ６８５０  の引張せん断接着強さの試験方法に準拠した方法で試験を行うと、粘着性樹脂単体では、引張せん断強さが３００ｋＰａを超えることが分かったため、引張せん断強さを所望の範囲に収めるために、請求項４の発明では、粘着性樹脂にたとえばシリカやホワイトカーボンなどの微粒子物を配合するようにしたのである。
【００２３】
請求項５の発明によれば、微粒子物の混合量は、粘着性樹脂１００重量部に対して微粒子物１〜１００重量部が配合されている。
【００２４】
微粒子物の混合量を上記範囲に設定したのは、１重量部未満では、粘着性能をコントロールする効果が期待できず、また１００重量部を超えると、樹脂溶液の粘度が上昇して塗布時に斑が生じるためである。
【００２５】
微粒子物の混合量は、より好ましくは、請求項６の発明に記載されているように、粘着性樹脂１００重量部に対して微粒子物１〜３０重量部が配合されている。
【００２６】
請求項６の発明のように、微粒子物の混合量を３０重量部までとしたのは、混合量が３０重量部を超えると、樹脂溶液の粘度が増加することにより、塗布時に斑が生じる恐れが高くなるためである。
【００２７】
請求項７の発明では、微粒子物が０．０１ｇ/ｍｌ以上０．５ｇ/ｍｌ以下の見掛け比重を有している。
【００２８】
ここで、微粒子物の見掛け比重を上記範囲に設定したのは、見掛け荷重が０．０１ｇ/ｍｌ未満では、樹脂溶液中への混合が難しく、また見掛け比重が０．５ｇ/ｍｌを超えると、樹脂の溶液中で微粒子物が沈降しやすくなって、粘着性に斑が生じるようになるためである。
【００２９】
なお、コーティング層は、手袋本体の裏面に塗布、印刷等により形成されている。
【発明の効果】
【００３０】
本発明によれば、コーティング層の粘着性によって手袋内部で手を滑りにくくすることにより、手を手袋に密着させて手と手袋を一体化させるようにしたので、着用者の手に違和感や異物感を感じさせることなく、フィット性を向上できる。しかも、この場合には、粘着性コーティング層の引張せん断強さを１０〜３００ｋＰａに設定したので、手を手袋内面に密着させるだけの密着性を確保できるとともに、手袋の着脱を容易に行えるようになる。
【発明を実施するための最良の形態】
【００３１】
以下、本発明の実施例を添付図面に基づいて説明する。
図３ないし図８は、本発明による粘着性コーティング層が形成されたスポーツ手袋としてのゴルフ手袋をそれぞれ示している。これらの図は、いずれもゴルフ手袋を裏返した状態において掌の側の正面図である。また、各図中、網掛け領域が粘着性コーティング層の形成された領域を示している。これらの図に示すように、本発明による粘着性コーティング層は、手袋の裏面側において着用者の掌に相当する部分の少なくとも一部に形成されている。
【００３２】
図３に示すものでは、ゴルフ手袋１の掌全面に粘着性コーティング層１０が形成されており、図４に示すものでは、手袋１において第３指〜第５指および子指球部を覆う領域に粘着性コーティング層１０が形成されている。
【００３３】
図５に示すものでは、ゴルフスイング時に力が入る第３指、第４指および第５指ならびに子指球部分に帯状の粘着性コーティング層１０ａ，１０ｂ，１０ｃ，１０ｄが形成されている。図６に示すものでは、図５に示した部分に加えて、手と手袋との間に隙間が生じやすい、第３指〜第５指にかけての指の付け根部分にも帯状の粘着性コーティング層１０ｅが形成されている。図７に示すものでは、第３指ないし第５指のみならず、第１指および第２指にも帯状の粘着性コーティング層１０ｆ，１０ｇが形成されている。また第３ないし第５中手骨にそれぞれ対応する位置に帯状の粘着性コーティング層１０ｄ’が形成されている。図８に示すものでは、図５に示したものと類似しているが、この場合には、第３指ないし第５指に形成される粘着性コーティング層１０ａ’，１０ｂ’，１０ｃ’は、各指の関節部を除く領域に形成されている。
【００３４】
各コーティング層の形成パターンとしては、所定領域を一様に覆うように形成する他、多数のドット状にして形成するパターン、その逆に多数のドット部分を除いて形成するパターン、２方向の帯状コーティング層が交差する網目状のパターン、それぞれ横方向に延びる複数の波目状のパターン、ハニカム状（つまり亀甲状）のパターンなど種々のものが考えられる。この場合において、とくに網目状のパターンや波目状のパターン、ハニカム状のパターンの場合には、２方向以上の方向において手が手袋内で滑りにくくなるため、手袋の密着度合いが向上し、さらに波目状のパターンの場合には、手の屈曲ラインに沿って手が手袋に密着しやすくなる。
【００３５】
なお、コーティング層は、手袋本体の裏面に塗布、印刷等により形成されている。
【００３６】
ゴルフ手袋１を構成する素材としては、天然皮革の他、人工皮革、合成皮革などが用いられる。したがって、粘着性コーティング層が形成される基材層は、不織布および織布のいずれでもよい。
【００３７】
粘着性コーティング層を構成する主成分である粘着性樹脂としては、たとえば、ゴム系として、天然ゴムやスチレンブタジエンゴムなどが用いられ、また樹脂系として、アクリル酸エステル共重合体などのアクリル系の他、ウレタン系やシリコン系が用いられるが、粘着性を具備する樹脂であれば何でもよい。また、２種類以上の粘着性樹脂を混合して用いるようにしてもよい。この場合、ゴム系同士の組合せや樹脂系同士の組合せに限らず、ゴム系および樹脂系の組合せでもよい。
【００３８】
粘着性樹脂に配合される微粒子物としては、シリカ、ホワイトカーボン、ケイ酸アルミニウム、ケイ酸カルシウム、ケイ酸マグネシウム、炭酸カルシウム、炭酸マグネシウム、酸化チタン、クレー、亜鉛華、珪藻土、タルクなどが用いられる。このような微粒子物を粘着性樹脂に混合するのは、粘着性樹脂単体では高くなりすぎる傾向がある引張せん断強さを所望の範囲に収めるためである。
【００３９】
ここで、粘着性樹脂および微粒子物の配合の具体例を表５に示す。同表中に示すように、各配合例１ないし３においては、粘着性樹脂および微粒子物の他に、添加剤や可塑剤、溶媒が配合された例が示されている。
【表５】
2006346437.tif 000007
【００４０】
微粒子物の混合量は、粘着性樹脂１００重量部に対して微粒子物１〜１００重量部、好ましくは、微粒子物１〜３０重量部が配合されている（表５参照）。
【００４１】
微粒子物の混合量を１〜１００重量部の範囲に設定したのは、１重量部未満では、粘着性能をコントロールする効果が期待できず、１００重量部を超えると、樹脂溶液の粘度が上昇して塗布時に斑が生じるためである。さらに、好ましい例として、微粒子物の混合量を３０重量部までとしたのは、混合量が３０重量部を超えると、樹脂溶液の粘度が増加することにより、塗布時に斑が生じる恐れが高くなるためである。
【００４２】
微粒子物は、０．０１ｇ/ｍｌ以上０．５ｇ/ｍｌ以下の見掛け比重を有しているのが好ましい。その理由は、見掛け荷重が０．０１ｇ/ｍｌ未満では、樹脂溶液中への混合が難しく、見掛け比重が０．５ｇ/ｍｌを超えると、樹脂の溶液中で微粒子物が沈降しやすくなって、粘着性に斑が生じるようになるためである。
【００４３】
コーティング層の厚みは、０．０５ｍｍ以上０．２ｍｍ以下に設定されている。コーティング層の厚みをこのような範囲に設定したのは、既述したように、厚みが異なる７種類の厚みゲージを用いた官能評価結果に基づいている。すなわち、表４に示すように、厚みが０．２５ｍｍ以上になると、８割以上の人が違和感を感じており、また、厚みが０．０５ｍｍより薄くなると、安定した粘着力を得ることが難しくなる点を考慮すると、コーティング層の厚みとしては、０．０５〜０．２ｍｍが好ましいと判断される。なお、コーティング層の厚みは、コーティング層の最表面から基材層の最表面までの深さで表される。
【００４４】
また、コーティング層は、１０ｋＰａ以上３００ｋＰａ以下の引張せん断強さを有している。引張せん断強さをこのような範囲に設定したのは、既述したように、引張せん断強さの異なる５種類の粘着剤からなる粘着性コーティング層がそれぞれ形成された５種類の手袋を用いた官能評価結果に基づいている。
【００４５】
フィット性に関しては、図１のグラフ中において屈曲点となる引張せん断強さが１０ｋＰａであることから、着用者を満足させるだけの十分なフィット性を得るためには、引張せん断強さが１０ｋＰａ以上であることが必要であると判断される。また、着脱容易性に関しては、図２のグラフ中において屈曲点となる引張せん断強さが３００ｋＰａであることから、着用者を満足させるだけの十分な着脱容易性を得るためには、引張せん断強さが３００ｋＰａ以下であることが必要であると判断される。なお、引張せん断強さは、表３を用いて既述したように、ＪＩＳ  Ｋ  ６８５０  の引張せん断接着強さの試験方法に準拠した方法で測定している。
【００４６】
上述のように構成されたゴルフ手袋によれば、ゴルフスイング時には、コーティング層自体の粘着性によってプレーヤの手が手袋内部で滑りにくくなっており、これにより、手が手袋に密着して手と手袋とを一体化できる。その結果、プレーヤが違和感や異物感を感じることなく、手袋のフィット性を向上できる。このようにして、プレーヤは安心してプレーに集中できるようになる。また、コーティング層を形成することで、皮革の耐久性が向上する。
【００４７】
この場合において、たとえば図３に示す態様では、掌全体のフィット性を向上でき、図４ないし図８に示す態様では、所望部位に集中させてフィット性を向上できる。さらに、図３に示すものでは、粘着性コーティング層の形成領域が掌の特定部位に限定されないので、粘着性コーティング層の形成が容易である。図４ないし図８に示すものでは、粘着性コーティング層の占有面積が小さくて済むので、製造コストを低減できる。また、図８に示すものでは、粘着性コーティング層が指の関節部分に形成されていないことにより、手袋としての吸汗性を向上できるとともに、指が自然に曲がるようになって着用感を向上できる。
【００４８】
しかも、この場合には、粘着性コーティング層の引張せん断強さを１０〜３００ｋＰａに設定したので、手を手袋内面に密着させるだけの密着性を確保できるとともに、手袋の着脱を容易に行えるようになる。
【００４９】
また、図３ないし図８に示す各実施態様においては、粘着性コーティング層を形成する部位に応じて、引張せん断強さを異ならせるようにしてもよい。たとえば、指の部分の引張せん断強さを相対的に低くして粘着力を低く設定し、子指球部分の引張せん断強さを相対的に高くして粘着力を高く設定するのが好ましい。これは、指の部分は、手の指自体が元々物を把持できるように構成されているため、粘着性コーティング層による粘着力をそれ程高く設定する必要がないのに対し、手の子指球部分は元々物を把持できるように構成されていないため、粘着性コーティング層による粘着力をある程度高く設定してやる必要があるためである。
【００５０】
このような粘着力の設定により、手袋の着用者は、ゴルフクラブを握ったとき、手袋内部での粘着力を均等に感じるようになって、粘着力の全体のバランスが向上する。なお、引張せん断強さの例として、指の部分を１５０ｋＰａにし、子指球部分を２５０ｋＰａにすると、均等な密着感を得ることができる。
【００５１】
これに対して、粘着性コーティング層の引張せん断強さをすべての部位で同じ大きさにした場合には、手袋の着用者が指の部分の粘着力だけを強く感じたり、子指球部分の粘着力を全く感じない場合が起こり得る。
【００５２】
次に、図９（ａ）は、手袋の基材１Ａに貫通孔１１（開口径ｄ０）が形成された態様を示している。この場合、基材１Ａの表面に形成される粘着性コーティング層１０の一部が、貫通孔１１内にも導入されている。これにより、貫通孔１１内の粘着性コーティング層部分がいわゆるアンカー効果を発揮して、基材１Ａ表面の粘着性コーティング層１０の剥離を防止できる。
【００５３】
また、図９（ｂ）は、同図９（ａ）の貫通孔形成部分にさらに貫通孔１２（開口径ｄ１（＜ｄ０））が形成された態様を示している。この場合には、基材１Ａの貫通孔１１内に依然として粘着性コーティング層１０の一部が導入されているので、図９（ａ）の場合と同様に、アンカー効果により、基材１Ａ表面の粘着性コーティング層１０の剥離を防止できる。しかも、この場合には、貫通孔１２が通気孔の役目を果たすようになるので、手袋内部の蒸れを防止できる。
【００５４】
なお、手袋の基材１Ａに貫通孔を形成するかわりに、基材１Ａの裏面に盲孔つまり凹部を形成するようにしてもよい。この場合、凹部に導入される粘着性コーティング層が同様にアンカー効果を発揮することにより、基材表面の粘着性コーティング層の剥離を防止できる。
【００５５】
また、前記実施例では、ゴルフ手袋を例にとって説明したが、本発明は、ゴルフ手袋以外に、野球のバッティング用手袋やテニス用手袋などにも同様に適用可能である。
【図面の簡単な説明】
【００５６】
【図１】粘着性コーティング層の引張せん断強さと手袋のフィット性官能評価との関係を示すグラフである。
【図２】粘着性コーティング層の引張せん断強さと手袋の着脱容易性官能評価との関係を示すグラフである。
【図３】ゴルフ手袋の裏面図であって、掌全面に粘着性コーティング層が形成された例を示している。
【図４】ゴルフ手袋の裏面図であって、第３指ないし第５指および子指球部を覆う領域に粘着性コーティング層が形成された例を示している。
【図５】ゴルフ手袋の裏面図であって、第３指ないし第５指および子指球部に帯状の粘着性コーティング層が形成された例を示している。
【図６】ゴルフ手袋の裏面図であって、第３指ないし第５指、子指球部および各指の付け根部分に帯状の粘着性コーティング層が形成された例を示している。
【図７】ゴルフ手袋の裏面図であって、第１指ないし第５指、および第３指ないし第５指の各中手骨に沿って帯状の粘着性コーティング層が形成された例を示している。
【図８】ゴルフ手袋の裏面図であって、第３指ないし第５指（関節部除く）および子指球部に帯状の粘着性コーティング層が形成された例を示している。
【図９】基材に貫通孔が形成されたゴルフ手袋の貫通孔形成部分の断面図であって、コーティング層のアンカー効果を説明するための図である。
【符号の説明】
【００５７】
１：  ゴルフ手袋（スポーツ手袋）
１Ａ：  基材
１０，１０’：  粘着性コーティング層
１０ａ〜１０ｆ：  粘着性コーティング層
１０ａ’〜１０ｄ’：  粘着性コーティング層
１１，１２：  貫通孔
【図１】
2006346437.tif 000008
【図２】
2006346437.tif 000009
【図３】
2006346437.tif 000010
【図４】
2006346437.tif 000011
【図５】
2006346437.tif 000012
【図６】
2006346437.tif 000013
【図７】
2006346437.tif 000014
【図８】
2006346437.tif 000015
【図９】
2006346437.tif 000016